(57)【要約】【課題】布帛に対して重ねて画像形成処理を実行するときに、効率的かつ正確に画像を形成できる液体吐出装置を提供する。【解決手段】外部装置からの画像形成指示に基づいて布地に対し画像を形成する画像形成処理を実行する画像形成処理部と、画像形成処理部の指示に基づく画像形成処理の終了後からの経過時間を計測する時間計測部と、経過時間が所定の閾値時間を超えているか否かを判定する経過時間判定部と、画像形成指示に基づく画像形成処理が行われた布地に対する再度の画像形成指示である再画像形成指示を受け付ける再画像形成指示受付部と、を備え、再画像形成指示受付部は、経過時間が閾値時間を超える前に再画像形成指示を受け付けたときには、当該経過時間が当該閾値時間を超えるまで待ってから画像形成処理部に対して再画像形成処理の指示をする、液体吐出装置による。【選択図】図３
2019177606.tif 000002
【特許請求の範囲】
【請求項１】
布地に液体を吐出することで当該布地に画像を形成する液体吐出装置であって、
外部装置からの画像形成指示に基づいて前記布地に対し前記画像を形成する画像形成処理を実行する画像形成処理部と、
前記画像形成処理部の指示に基づく画像形成処理の終了後からの経過時間を計測する時間計測部と、
前記経過時間が所定の閾値時間を超えているか否かを判定する経過時間判定部と、
前記画像形成指示に基づく画像形成処理が行われた布地に対する再度の画像形成指示である再画像形成指示を受け付ける再画像形成指示受付部と、
を備え、
前記再画像形成指示受付部は、前記経過時間が前記閾値時間を超える前に前記再画像形成指示を受け付けたときには、当該経過時間が当該閾値時間を超えるまで待ってから前記画像形成処理部に対して再画像形成処理の指示をする、
ことを特徴とする液体吐出装置。
【請求項２】
前記経過時間が前記閾値時間を超えるまでの待ち時間において、再画像形成の実行環境を整える環境整備処理を実行する環境整備処理部を備える、
請求項１に記載の液体吐出装置。
【請求項３】
前記環境整備処理部は、前記布地と、当該布地に対して前記液体を吐出するノズル口との距離を検知し、当該距離が所定の閾値距離よりも長くなるように前記布地が固定されているプラテンの位置を調整するプラテン位置調整部を備え、
前記環境整備処理は、前記プラテンの位置の調整処理である、
請求項２に記載の液体吐出装置。
【請求項４】
前記環境整備処理部は、前記液体を補充する液体補充部を備え、
前記環境整備処理は、前記液体の補充処理である、
請求項２に記載の液体吐出装置。
【請求項５】
前記環境整備処理部は、前記布地に対して液体を吐出するノズル口を清掃するヘッド清掃部を備え、
前記環境整備処理は、ヘッド清掃部における前記ノズル口の清掃処理である、
請求項２に記載の液体吐出装置。
【請求項６】
前記画像形成処理により前記布地に形成された画像の濃度が所定の閾値濃度以上であるか否かを判定する濃度判定部を備え、
前記濃度判定部は、当該濃度が前記閾値濃度未満のときに前記再画像形成指示の要求を前記再画像形成指示受付部に通知する、
請求項１乃至５のいずれか一項に記載の液体吐出装置。
【請求項７】
前記閾値時間を記憶し、前記再画像形成指示を受け付けたときの前記経過時間が前記閾値時間を超える前であるとき、当該再画像形成指示を受け付けた時に相当する前記経過時間を前記閾値時間として記憶する閾値時間記憶部を備える、
請求項１乃至６のいずれか一項に記載の液体吐出装置。
【請求項８】
前記布地の厚さに応じた異なる布地情報を設定する操作部を備え、
前記閾値時間は、前記操作部を介して設定された前記布地情報に基づいて決定される、
請求項１乃至７のいずれか一項に記載の液体吐出装置。
【請求項９】
複数の前記閾値時間のうち、最短時間に相当する閾値時間の初期値は４０秒である、
請求項８に記載の液体吐出装置。
【請求項１０】
布地に液体を吐出することで当該布地に画像を形成する液体吐出装置の制御方法であって、
外部装置からの画像形成指示に基づいて前記布地に対し画像を形成する画像形成処理を実行し、
前記画像形成処理の指示に基づく処理の終了後からの経過時間を計測し、
前記経過時間が所定の閾値時間を超えているか否かを判定し、
前記画像形成指示に基づく処理が行われた布地に対する再度の画像形成指示である再画像形成指示を受け付け、
前記経過時間が前記閾値時間を超える前に前記再画像形成指示を受け付けたとき、当該経過時間が当該閾値時間を超えるまで待ってから再度の画像形成処理の指示をする、
ことを特徴とする液体吐出装置の制御方法。
【発明の詳細な説明】
【技術分野】
【０００１】
本発明は、液体吐出装置および制御方法に関する。
【背景技術】
【０００２】
液体を吐出するユニット（液体吐出ユニット）を備え、情報処理装置からの指示に基づいて記録媒体に液体を吐出する装置が知られている。当該装置は、インクジェット式プリンタなどと呼ばれる。インクジェット式プリンタには、産業用途のものもあり、記録媒体として、例えば、Ｔシャツなどの布帛を用いることができるものも知られている。
【０００３】
Ｔシャツなどの布帛は紙等とは異なり、ある程度の厚みがあり、液体が吐出される面に「毛羽立ち」や「シワ」もあるので、液体吐出ユニットの液体吐出口（ノズル口）と接触しやすい。そこで、液体を吐出する動作を開始する前に、記録媒体としての布帛とノズル口との距離が、最適な距離になるように制御する必要がある。
【０００４】
また、布帛の場合は、繊維が粗く、付着した液体が表面上で拡散しやすく、また、染みこみ易いので、液体として液体インクを用いて布帛の表面に画像を形成（画像を印刷）しようとした場合、液体インクの滲みや、裏地に抜けてしまう「裏抜け」などにより、画像が薄くなりやすい。このような布帛の特性を考慮した動作モード（布帛用プリントモード）を設け、布帛とノズル口との距離を調整した後に、画像を鮮明にするための重ね印刷を行う技術が開示されている（特許文献１を参照）。
【発明の概要】
【発明が解決しようとする課題】
【０００５】
特許文献１に開示されている技術では、重ね印刷の各印刷工程でノズル口を主走査方向に移動させるキャリッジの待機時間を設けている。また、ノズル口と布帛との距離の調整は、重ね印刷を開始する以前に行われている。重ね印刷は、同一の布帛に対して複数回の画像形成処理を繰り返し実行することになるので、各画像形成の後に布帛の厚みや、画像形成面の状態が経時変化することがある。仮に、画像が形成された布帛面とノズル口との距離が縮まっているなど、画像形成処理に適さない環境になっていても、これを是正することについては、特許文献１の技術では考慮されていない。すなわち、従来技術では、特に布帛に対して液体を吐出して画像を形成する処理を実行するにあたり、重ね印刷における正確な画像形成および安定した画像形成を実行する、ことについて課題がある。
【０００６】
本発明は、布帛に対して重ねて画像形成処理を実行するときに、効率的かつ正確に画像を形成できる液体吐出装置を提供することを目的とする。
【課題を解決するための手段】
【０００７】
上記技術的課題を解決するため、本発明の一形態は、布地に液体を吐出することで当該布地に画像を形成する液体吐出装置であって、外部装置からの画像形成指示に基づいて前記布地に対し前記画像を形成する画像形成処理を実行する画像形成処理部と、前記画像形成処理部の指示に基づく画像形成処理の終了後からの経過時間を計測する時間計測部と、前記経過時間が所定の閾値時間を超えているか否かを判定する経過時間判定部と、前記画像形成指示に基づく画像形成処理が行われた布地に対する再度の画像形成指示である再画像形成指示を受け付ける再画像形成指示受付部と、を備え、前記再画像形成指示受付部は、前記経過時間が前記閾値時間を超える前に前記再画像形成指示を受け付けたときには、当該経過時間が当該閾値時間を超えるまで待ってから前記画像形成処理部に対して再画像形成処理の指示をする、ことを特徴とする。
【発明の効果】
【０００８】
本発明によれば、布帛に対して重ねて画像形成処理を実行するときに、効率的かつ正確に画像を形成できる。
【図面の簡単な説明】
【０００９】
【図１】本発明に係る液体吐出装置の実施形態である印刷装置の外観図。
【図２】本実施形態に係る印刷装置の内部構造の要部を示す概略平面図。
【図３】本実施形態に係る印刷装置の制御ブロックの構成を示すブロック図。
【図４】本実施形態に係る印刷装置における記録媒体とプラテンとのギャップの計測方法の概要を示す概要図。
【図５】本実施形態に係る印刷装置の機能構成を示す機能ブロック図。
【図６】本実施形態に係る印刷装置の詳細な機能構成を示す機能ブロック図。
【図７】本発明に係る制御方法の実施形態を示すフローチャート。
【図８】本実施形態に係る制御方法の例を示すフローチャート。
【図９】本実施形態に係る制御方法のさらに別の例を示すフローチャート。
【図１０】本実施形態に係る制御方法のさらに別の例を示すフローチャート。
【図１１】本実施形態に係る制御方法のさらに別の例を示すフローチャート。
【図１２】本実施形態に係る制御方法のさらに別の例を示すフローチャート。
【図１３】本実施形態に係る閾値時間の例を示すグラフ。
【発明を実施するための形態】
【００１０】
以下、本発明に係る液体吐出装置の実施形態、当該装置の制御方法に係る実施形態について、図面を参照しながら説明する。本発明は、布帛に液体を吐出して画像を形成する画像形成処理（印刷処理）を行う装置（液体吐出装置）に関するものであって、特に、重ね印刷を行うときに最適な画像形成環境を整える機能に関するものを要旨の一つとする。ここで「重ね印刷」とは、画像を形成する領域（プリント領域）の全領域に対する画像形成処理を実行した後に、同じ記録媒体（布帛）に対して同じ画像を再度、同じプリント領域に形成する画像形成処理をいう。なお、本実施形態における「重ね印刷」は、少なくとも、二度の画像形成処理を含むものをいうが、回数はこれに限定されるものではなく、三度以上の画像形成処理を同じプリント領域に対し同じ画像を用いて行ってもよい。また、「画像形成環境」とは、布帛に液体を吐出する機構（ノズル口）と当該布帛との距離や、画像が形成される布帛面の状態などを含み、画像形成処理によって布帛に形成される画像の質に影響を与える要素を指す。例えば、ノズル口と布帛との距離を「最適な距離に整える処理」とは、画像形成処理が実行された後に次の再画像形成処理を実行するまでの間に、布帛面とノズル口との距離を再調整する処理をいう。また、「最適な布帛面の状態」とは、画像形成処理が実行された後の再画像形成処理を実行しても液体が裏地に透過してしまう「裏抜けが生じない状態」を指す。「裏抜け」が生じない状態にするには、再度の画像形成処理を実行するまでの待ち時間を適切に設定することが望ましい。
【００１１】
以下に、本発明に係る液体吐出装置の一実施形態について、図面を参照しながら説明をする。図１（ａ）は、本発明に係る液体吐出装置の例である印刷装置１外観を示す正面図、図１（ｂ）は、印刷装置１の右側面図である。
【００１２】
図１（ａ）に示すように印刷装置１は、装置本体１００の内部に、布帛を保持するプラテン部材３００を備えるカセット２００を着脱可能に保持して進退移動するカセット移動機構であるステージ４００を備える。
【００１３】
また、装置本体１００の正面上部には、操作パネル１０１が配置されている。操作パネル１０１は、印刷装置１の動作開始を指示する操作キーや、動作に用いる情報を設定するための設定キーなどが配置されている。また、操作パネル１０１には、印刷装置１の動作状況は、動作結果などの情報を表示する表示パネルも配置されている。操作パネル１０１は、操作部を構成し、重ね印刷を実行したときの再画像形成処理を強制的に実行する指示を与える指示部としても機能する。
【００１４】
なお、プラテン部材３００に保持可能な布地には、ハンカチ、タオルなどの一枚の布帛で形成されるものだけではなく、Tシャツ、トレーナーなどの衣服として加工された布帛、トートバック等の製品の一部となっているものも用いることができる。
【００１５】
図１（ｂ）に示すように、装置本体１００の後部には、後部カバーを備えていて、カセット２００の副走査方向の移動量を確保するための空間を保持している。
【００１６】
図２は、印刷装置１の内部構造のうち、画像形成処理を実行する要部を概略的に示す概略平面図である。図２に示すように、印刷装置１には、カセット２００の天面部分に相当する位置にプラテン部材３００が配置されている。このカセット２００は、装置本体１００に対して矢印Ａ方向（送り方向、副走査方向）に移動可能に保持されている。カセット２００を保持するステージ４００を、副走査方向において移動可能に保持する部材として、矢印Ａ方向に沿って移動ガイド部材１０６Ｌ、１０６Ｒが配置されている。
【００１７】
印刷手段である液体を吐出する液体吐出ヘッド１０３は、キャリッジ１０２に保持されている。キャリッジ１０２は、プラテン部材３００に対して矢印Ｂ方向（主走査方向）に移動するように保持されている。キャリッジ１０２は、矢印Ｂ方向に沿って配置されたキャリッジガイド部材１０９によって移動可能に保持されている。キャリッジ１０２は、後述する主走査モータ１１２によって、キャリッジガイド部材１０９に沿った往復移動をする。液体吐出ヘッド１０３は、キャリッジ１０２によって主走査方向に移動しながら所定のタイミングにおいて所定の滴量のインクを布地面に吐出するように動作する。
【００１８】
印刷装置１においては、カセット２００のプラテン部材３００に布地をセットした状態で、装置本体１００内の移動ガイド部材１０６Ｌ、１０６Ｒに移動可能に保持されているステージ４００にカセット２００が装着される。そして、ステージ４００の矢印Ａ方向への移動と液体吐出ヘッド１０３の矢印Ｂ方向への往復移動を繰り返すことで、プラテン部材３００に保持されている布地に所要の画像を印刷する。
【００１９】
なお、プラテン部材３００はカセット２００から着脱可能であり交換可能に形成されている。これによりプラテン部材３００を複数用意し、印刷動作中に別のプラテン部材３００に衣類を巻き付けておくことができ、印刷、定着終了後にプラテン部材３００を交換するだけで速やかに次の布地の印刷を開始することができる。
【００２０】
カセット２００に布地をセットするときには、プラテン部材３００の外周カバーを開いて、プラテン部材３００に布帛をセット（保持）する。このとき、布帛の余分な部分（余剰部分）はカセット２００の内部空間に収容できるようになっている。
【００２１】
そして、布地に画像を形成するときには、図１に示すように、カセット２００を装置本体１００のステージ４００上に装着する（セットする）。
【００２２】
このように、カセット２００は装置本体１００から全体を取り出した状態にして印刷対象である布地をプラテン部材３００にセットすることができるので、プラテン部材３００への布地のセット作業が容易になる。
【００２３】
図２に示すように、主走査方向の一方の端部であって、カセット２００の外側には、液体吐出ヘッド１０３の状態を画像形成動作に適した状態に維持するための維持回復機構１０４が配置されている。また、維持回復機構１０４とは主走査方向の反対側端部に、ノズル口に液体が詰まることを防止するための「空吐出動作」を実行したときに吐出される液体を回収するための空吐出受け１０５が配置されている。
【００２４】
次に、本実施形態に係る印刷装置１の制御ブロックの構成について図３を用いて説明する。図３に示すように、印刷装置１の制御部１２０は、ＣＰＵ１２１、ＲＯＭ１２２、ＲＡＭ１２３、ＮＶＲＡＭ１２４、ＡＳＩＣ１２５を備えている。
【００２５】
ＣＰＵ１２１は、印刷装置１に必要な情報の入力及び表示を行うための操作パネル１０１と接続されていて、印刷装置１全体の制御を司る。また、ＣＰＵ１２１は、プラテン部材３００の搬送動作（副走査方向への移動）及びキャリッジ１０２の主走査方向への移動動作、および、液体吐出ヘッド１０３による液体吐出動作に関する制御を司る機能を兼ね備えている。
【００２６】
ＲＯＭ１２２は、ＣＰＵ１２１が実行するプログラムやその他の固定データを格納する不揮発性の記憶媒体である。ＲＯＭ１２２に記憶されているプログラムをＣＰＵ１２１の演算処理機能により実行することで、後述するプログラム制御部が構成される。
【００２７】
ＲＡＭ１２３は、画像形成処理に用いられる画像データ等を一時格納する。また、ＲＡＭ１２３は、プログラム制御部が実行されるときのワークエリアとして機能する。
【００２８】
ＮＶＲＡＭ１２４は、印刷装置１の電源が遮断されている間もデータを保持するための書き換え可能な不揮発性の記憶媒体である。
【００２９】
ＡＳＩＣ１２５は、画像データに対する各種信号処理、並び替え等を行う画像処理やその他装置全体を制御するための入出力信号を処理する。
【００３０】
また、制御部１２０は、ホストインターフェース（Ｉ／Ｆ）１３３、印刷制御部１２７、主走査モータ駆動部１２８、ギャップ調整部１２９、副走査モータ駆動部１３０、入出力（Ｉ／Ｏ）部１２６を備えている。
【００３１】
ホストＩ／Ｆ１３３は、外部装置５００が有するプリンタドライバ５０１等のホスト側とのデータや制御信号の送受を行う役割を担う。
【００３２】
印刷制御部１２７は、液体吐出ヘッド１０３を駆動するための駆動波形を生成すると共に、液体吐出ヘッド１０３の圧力発生手段を選択的に駆動させる画像データ及びそれに伴う各種データをヘッドドライバ１１１に出力する。
【００３３】
主走査モータ駆動部１２８は、主走査モータ１１２を駆動する。
【００３４】
ギャップ調整部１２９は、プラテン部材３００を昇降するプラテン昇降モータ１１３へギャップ調整を指示する。
【００３５】
副走査モータ駆動部１３０は、カセット２００を副走査方向に移動させる副走査モータ１１４を駆動する役割を担う。
【００３６】
位置検知センサ駆動部１３１は、印刷制御部１２７による画像形成処理が実行されるまえの初期設定時や、重ね印刷を実行するときに、位置検知センサである発光素子１０７と受光素子８を動作させる。位置検知センサ駆動部１３１によって、プラテン部材３００に保持されている布地の表面と液体吐出ヘッド１０３のノズル口が布地に対向する対向面との間に形成されているギャップが、所定の距離以上であることを検知する。
【００３７】
濃度センサ駆動部１３２は、印刷制御部１２７における画像形成処理の結果、布地に形成された画像の濃度を検知する濃度センサ１１５の動作を制御する。濃度センサ１１５の検知結果はＣＰＵ１２１において判断され、重ね印刷の実行要否の判定に用いられる情報となる。
【００３８】
Ｉ／Ｏ部１２６は、印刷装置１の動作に要する各種センサからの検知信号を入力する。
【００３９】
制御部１２０では、画像形成処理に用いる印刷データ等を外部装置５００が備えるプリンタドライバ５０１から、ケーブルやネットワークを介してホストＩ／Ｆ１３３で受信する。印刷データは、例えばパーソナルコンピュータ（ＰＣ）等の情報処理装置、イメージスキャナ等の画像読み取り装置、デジタルカメラ等の撮像装置のホスト機能を備える外部装置５００のプリンタドライバ５０１により生成される。印刷データを受信した制御部１２０では、ＣＰＵ１２１がホストＩ／Ｆ１３３に含まれる受信バッファ内の印刷データを読み出して解析する。また、その解析結果に応じてＡＳＩＣ１２５によって必要な画像処理、データの並び替え処理等を行って印刷制御部１２７に転送する。そこで、印刷制御部１２７は所要のタイミングでヘッドドライバ１１１に画像データや駆動波形を出力する。なお、画像出力するためのドットパターンデータの生成は、例えばＲＯＭ１２２にフォントデータを格納して行ってもよいし、ホスト側のプリンタドライバ５０１で画像データをビットマップデータに展開して装置へ転送するようにしてもよい。ここでは、例えばプリンタドライバ５０１で行うものとする。
【００４０】
印刷制御部１２７の駆動波形生成部は、ＲＯＭ１２２に格納されてＣＰＵ１２１で読み出される駆動パルスのパターンデータをＤ／Ａ変換するＤ／Ａ変換器及び増幅器等で構成される。そして、一つの駆動パルスまたは複数の駆動パルスで構成される駆動波形をヘッドドライバ１１１に対して出力する。ヘッドドライバ１１１は、シリアルに入力される液体吐出ヘッド１０３の１行分に相当する画像データ（ドットパターンデータ）に基づいて液体吐出ヘッド１０３を駆動する。このために、ヘッドドライバ１１１は、印刷制御部１２７の駆動波形生成部から与えられる駆動波形を構成する駆動パルスを選択的に液体吐出ヘッド１０３の圧力発生手段に対して印加する。
【００４１】
なお、ヘッドドライバ１１１は、例えばクロック信号及び画像データであるシリアルデータを入力するシフトレジスタ、シフトレジスタのレジスト値をラッチ信号でラッチするラッチ回路、を含む。その他、ラッチ回路の出力値をレベル変化するレベル変換回路（レベルシフタ）、このレベルシフタでオン／オフが制御されるアナログスイッチアレイ（スイッチ手段）等を含む。機能上では、アナログスイッチアレイのオン／オフを制御することで駆動波形に含まれる所要の駆動パルスを選択的に液体吐出ヘッド１０３の圧力発生手段に印加する場合を例示できる。ギャップ調整部１２９は、プラテン昇降モータ１１３で布地を支持したプラテン部材３００を上下駆動する。そして、位置検知センサとして機能する発光素子１０７及び受光素子８による光学的検出手段でジャムの発生の有無が判定された結果に応じて布地のギャップ（高さ）の調整を行う。
【００４２】
ここで、位置検知センサである発光素子１０７と受光素子８により検知される布地の位置に基づいて、ギャップ調整部１２９がノズル口とプラテン部材３００に保持されている布地との距離（ギャップ）を調整する仕組みについて図４を用いて説明する。
【００４３】
画像形成処理を開始する初期設定として、カセット２００を副走査方向に移動させながら、発光素子１０７から発した光が受光素子８において受光され続けることを確認する。正常時のプラテン部材３００は、保持している布地の面が、発光素子１０７と受光素子８により形成される検知ラインに対して所定のギャップ（Δｈ）となる位置にある。布地は、「毛羽寝かせ」や「しわ伸ばし」を施した状態でプラテン部材３００に保持されているので、正常であれば、ステージ４００に設置されたカセット２００が副走査方向全域に移動しても、発光素子１０７からの光が遮られることはない。
【００４４】
仮に、発光素子１０７の光が遮られることがあった場合、ギャップ調整部１２９がプラテン昇降モータ１１３を駆動して、ステージ４００を下げて、ギャップ（Δｈ）を大きくする。なお、ノズル口と布地との距離は、近いほど吐出したインクが分離したり、放物線を描いて着弾位置がずれたりする、等の影響を減らすことができる。しかしながら、この距離をゼロにすることはできないので、ある程度の範囲でノズル口と布地との距離を設定する必要がある。そこで、特に、センシングの位置精度や調整機構の精度を考慮すると０．５ｍｍ〜０．７ｍｍが好適である。したがって、布地の上面（ノズル口に対向する面）が、上記の距離値が最小値よりも短くなっているときには発光素子１０７からの光が遮られるように、発光素子１０７と受光素子１０８の位置関係を調整し設置する。そして、発光素子１０７からの光が遮られるようであれば、ギャップ（Δｈ）を調整するためにステージ４００を移動させて距離値が最大値になるようにする。その後、再度、ステージ４００を副走査方向に移動させる。再度の移動時にも光が遮られることがあれば、処理異常として印刷装置１の動作を停止する。
【００４５】
なお、ギャップ（Δｈ）の検知は、重ね印刷を行うときの一度目の画像形成と二度目の画像形成の間にも実行する。
【００４６】
ギャップ（Δｈ）の調整量の判定は、発光素子１０７から受光素子８までの距離に含まれるプラテン部材３００の幅方向の全域において、布地の高さを検知することにより行われる。発光素子１０７からの光が布地の表面の毛羽などによって完全に遮られない状態であっても、受光素子８における受光量は、布地の表面の凸部で遮られる度合いによって変化する。そこで、受光素子８における受光量が所定の閾値以下であれば、ギャップ（Δｈ）を広げるようにギャップ調整部１２９がプラテン昇降モータ１１３を駆動すればよい。また、受光素子８における受光量に基づいて、好適なギャップ（Δｈ）を設定するように、ギャップ調整部１２９がプラテン昇降モータ１１３を駆動してもよい。
【００４７】
例えば布地に凹凸がなく平坦であれば、布地のギャップ調整した位置に関わらず正常な画像形成を実行できる。
【００４８】
仮に、布地に凹凸があって、高さ調整した位置が凹部であった場合にはキャリッジ１０２の液体吐出ヘッド１０３と布地の凸部とが衝突する可能性が生ずる。こうした場合には制御部１２０は、印刷装置１の動作を停止させる。ただし、ジャムを発生する状況でも、仮にギャップ（Δｈ）を大きくするように変更すれば、重ね印刷の二度目の画像形成時にジャムを生じなくさせる設定を行えれば、支障なく重ね印刷を実施することができる。
【００４９】
即ち、本実施形態に係る印刷装置１では、重ね印刷における一度目の印刷が実行された後の液体吐出ヘッド１０３と布地とが衝突する可能性があっても、二度目の印刷の前に液体吐出ヘッド１０３と布地とのギャップ（Δｈ）を変更して衝突しない距離に設定する。これにより、布地に対する重ね印刷の実行環境を整備する環境整備処理を実行する。
【００５０】
次に、印刷装置１の制御を実行する制御ブロック１０について、図５を用いて説明する。制御ブロック１０は、画像形成処理部１１と、液体吐出制御部１２と、ヘッド移動制御部１３と、プラテン移動制御部１４と、時間計測部１５と、経過時間判定部１６と、再画像形成指示受付部１７と、閾値時間記憶部１８と、環境整備処理部１９と、濃度判定部２０と、を有する。
【００５１】
画像形成処理部１１は、外部装置５００からの画像形成指示に基づいて、画像形成用の画像データを生成し、当該画像データを用いて布地に画像を形成するように液体吐出制御部１２、ヘッド移動制御部１３、プラテン移動制御部１４に指示を与える。また、画像形成処理部１１は、再画像形成指示受付部１７からの指示に基づいて、再画像形成処理を実行するように、液体吐出制御部１２、ヘッド移動制御部１３、プラテン移動制御部１４に指示を与える。
【００５２】
液体吐出制御部１２は、画像形成処理部１１からの指示に基づいて、印刷制御部１２７を駆動して、ヘッドドライバ１１１を介して液体吐出ヘッド１０３から所定のタイミング、所定の液量で液体（インク）を吐出させる。
【００５３】
ヘッド移動制御部１３は、画像形成処理部１１からの指示に基づいて、主走査モータ駆動部１２８に主走査モータ１１２を駆動させて、キャリッジ１０２を主走査方向に移動させる。
【００５４】
プラテン移動制御部１４は、画像形成処理部１１からの指示に基づいて、副走査モータ駆動部１３０に副走査モータ１１４を駆動させて、ステージ４００を副走査方向に移動させ、プラテン部材３００に保持されている布地の副走査方向移動を実行する。
【００５５】
時間計測部１５は、重ね印刷を実行するときに、画像形成処理部１１が指示をした画像形成処理が終了した時点からの経過時間を計測するタイマーである。ここで、重ね印刷について説明する。「重ね印刷」とは、画像形成処理部１１から液体吐出制御部１２、ヘッド移動制御部１３、プラテン移動制御部１４に対して、一度与えられた指示と同じ指示を再度与える画像形成処理である。当該画像形成処理を「再画像形成処理」とする。したがって、「再画像形成処理」では、同じ布地の画像形成領域（プリント領域）の全領域に対して同じ画像を再度形成する画像形成処理を実行する。
【００５６】
経過時間判定部１６は、重ね印刷を実行するときに、二度目の画像形成処理を実行するための待ち時間を規定する閾値時間を用いて、時間計測部１５において計測されている経過時間が閾値時間を超えているか否かを判定する処理を実行する。経過時間判定部１６は、経過時間が閾値時間を超えている場合には、再画像形成指示受付部１７に対して再画像形成処理の実行指示を画像形成処理部１１に通知するための指示を通知する。なお、経過時間判定部１６において、経過時間が閾値時間を超えたときは、その旨を通知する表示を操作パネル１０１に表示してもよい。
【００５７】
再画像形成指示受付部１７は、重ね印刷を実行したときの二度目の画像形成処理のトリガーを操作パネル１０１から入力された場合、それ受け付けて、画像形成処理部１１に通知する。また、再画像形成指示受付部１７は、二度目の画像形成処理の指示が入力された時、すなわち、強制的な再画像形成指示が要求された時を閾値時間記憶部１８に通知する。
【００５８】
閾値時間記憶部１８は、待ち時間を規定する閾値時間をＮＶＲＡＭ１２４に記憶させる処理を実行する。また、閾値時間記憶部１８は、待ち時間に再画像形成指示受付部１７からの再画像形成指示を受け付けた時は、その時までの経過時間を用いて閾値時間を上書き記憶する。すなわち、重ね印刷を実行するときに、一度目の印刷後、二度目の印刷を開始するまでの好適な時間をとして、操作パネル１０１を操作するユーザが設定を変更することができる。閾値時間は、布地の種類によって区別されたデータ構造を備える「閾値情報」としてＮＶＲＡＭ１２４に記憶されればよい。当該閾値情報は、予め、布地の種類ごとに適する閾値時間を組み合わせて生成しておけばよい。
【００５９】
環境整備処理部１９は、重ね印刷を実行する際に、一度目の画像形成と二度目の画像形成の間において、布地とノズル口のギャップ（Δｈ）の調整、液体吐出ヘッド１０３の清掃、液体インクの補充など、画像形成処理のための環境を整備するための処理を実行する。
【００６０】
濃度判定部２０は、重ね印刷を実行したときに、一度目の画像形成の終了後、ステージ４００を副走査方向に移動させながら、濃度センサ１１５を動作させて、布地に形成された画像の濃度を判定する処理を実行する。
【００６１】
図６は、環境整備処理部１９のさらに詳細な構成を例示する制御ブロック図である。図６に示すように、環境整備処理部１９は、プラテン位置調整部１９０と、インク補充部１９４と、ヘッド清掃部１９５と、を有する。また、プラテン位置調整部１９０は、さらに布地検知部１９１、距離判定部１９２、プラテンレベル変更部１９３から構成される。
【００６２】
インク補充部１９４は、重ね印刷を実行したときの一度目の画像形成処理が終了した段階で、二度目の画像形成処理において消費される液体インクの量が、インクタンクにある残量以上であるとき、インク補充処理を実行する。インク補充処理は、キャリッジ１０２をホームポジションに移動させて、補充タンクに保持されている液体インクを液体吐出ヘッド１０３が備えるインクタンクへ補充する処理である。インク補充部１９４における処理によって、インクタンクからインクカートリッジに液体インクを送り出すポンプなどの液体配送機構が動作をする。このような液体配送機構とともにインク補充部１９４は液体補充部を構成する。
【００６３】
ヘッド清掃部１９５は、重ね印刷を実行したときの一度目の画像形成処理が終了した段階で、二度目の画像形成処理を開始する前に、キャリッジ１０２を維持回復機構１０４の位置に移動させて、ノズル口をウエスなどにより払拭する処理を実行する。また、ヘッド清掃部１９５は、キャリッジ１０２を空吐出受け１０５の位置に移動させて、液体吐出ヘッド１０３に空打ちをさせる。これによって、ノズル口に付着しているホコリなどを除去する処理を実行する。
【００６４】
プラテン位置調整部１９０が備える布地検知部１９１は、発光素子１０７と受光素子８を動作させて、プラテン部材３００に保持されている布地を検知する処理を実行する。距離判定部１９２は、布地検知部１９１の検知結果に基づいて、ギャップ（Δｈ）を算出し、所定の閾値を超えているか否かを判定し、ギャップ（Δｈ）が閾値距離よりも小さければ、あらたなギャップ（Δｈ）を設定する。プラテンレベル変更部１９３は、プラテン部材３００と布地とのギャップ（Δｈ）の設定に基づいて、ステージ４００を昇降させて、最適なギャップ（Δｈ）となるように制御する処理を実行する。
【００６５】
［制御方法の第一例］
次に、本実施形態に係る印刷装置１における制御方法の例について、フローチャートを用いて説明する。なお、以下において説明する処理は、重ね印刷処理である。図７に示すように、重ね印刷処理が開始されると、まず、初期処理が実行される（Ｓ７０１）。Ｓ７０１は例えば、キャリッジ１０２をホームポジションに移動させて、ステージ４００を副走査方向に移動し、ギャップ（Δｈ）が所定の値以内である事を確認する処理である。
【００６６】
初期処理（Ｓ７０１）が終了後、一度目の画像形成処理（印刷処理）が実行される（Ｓ７０２）。一度目の画像形成処理が終了後、時間計測部１５が時間の計測を開始する（Ｓ７０３）。本実施形態では、経過時間を「Ｔ」とする。
【００６７】
続いて、画像濃度が所望するものであるか否かを判定する（Ｓ７０４）。Ｓ７０４の処理は、濃度判定部２０が濃度センサ駆動部１３２を駆動して、濃度センサ１１５が検知した布地表面の画像の状態から、画像濃度を算出する。そして、算出された画像濃度と閾値濃度と比較することで、重ね印刷の二度目の画像形成処理が必要であるか否かを判定する。なお、Ｓ７０４を濃度センサ１１５の検知によらず、ユーザが画像を視認して行ってもよい。この場合、画像形成（Ｓ７０２）が終了し、ステージ４００に載せられて排出されてきた布地に形成された画像をユーザが見て、濃度が十分であると感じれば、操作パネル１０１を介して「重ね印刷終了」を指示する操作を行えばよい。
【００６８】
ここで、画像濃度について説明する。図１３に、重ね印刷における二度目の画像形成処理を実行するまでの待ち時間と、表面（インクが吐出される側）と裏面の画像濃度の関係について、実験した結果を例示する。図１３に示すように、表面画像濃度は、二度目の画像形成までの時間（待ち時間）が長くなるにつれて増加する。すなわち、画像が濃く、鮮明になる。また裏面画像濃度は、二度目の画像形成までの時間（待ち時間）が長くなるにつれて減少する。すなわち、画像の裏抜けが少なくなる。図１３に例示したグラフは、薄手の布地の例として、いわゆる「ライトウェイトＴシャツ」をプラテン部材３００に保持させて画像形成処理を実行したものである。「ライトウェイトＴシャツ」は薄手の生地の例として用いただけであるから、これ以外の布地であってもよく、本実施形態に適用可能な布地を限定するものではない。
【００６９】
図１３のグラフに元になるデータを表１に示す。表１に示す様に、再印刷、すなわち重ね印刷における一度目の画像形成処理が終了してから二度目の画像形成処理が開始されるまでの「待ち時間」が４０秒程度までだと、裏抜けが生じしている。表面画像濃度が１．３以上であれば、画像は鮮明になっていると判定できるとすると、待ち時間を「４０秒以上」にすることで、裏抜けのしやすい薄手の布地（ライトウェイトＴシャツ）であっても、重ね印刷を行ってもよいことになる。待ち時間の好適な例について、表１を用いて説明する。
【００７０】
2019177606.tif 000003
【００７１】
「裏抜け」とは、布帛の裏に液体インクが滲み出す現象である。裏抜けが生ずると、例えば、Ｔシャツの裏面であれば素肌に直接触れるので、素肌に液体インクが接触する状態になる。このような状態になると見た目が悪いだけでなく、液体インクが乾ききらないうちに当該Ｔシャツを身につけると、肌を汚すなどの不具合の原因になる。また、表面画像濃度の好適な値の閾値として採用できる「１．３」を表１に当てはめてみると、二度目の画像形成処理を実行しなかった場合（待ち時間が「−」の場合）の表面画像濃度は「１．２７」である。一方、二度目の画像形成処理を実行した場合（待ち時間が設定されている場合）の表面画像濃度は「１．３」以上になっている。したがって、ライトウェイトＴシャツのような薄手の布帛を用いる場合には、「重ね印刷」が有効であることがわかる。
【００７２】
一方、裏抜けの有無を裏面画像濃度によって確認すると、裏抜けが生じている場合の裏面画像濃度の閾値として採用できる「０．４」を表１に当てはめると、待ち時間を４０秒とする場合までは、裏抜けが生じていることになる。以上に基づいて、重ね印刷を実行するときに、二度目の画像形成処理を開始するまでの経過時間としての最短時間は４０秒である。したがって、この「４０秒」を閾値時間の初期値とする。なお、閾値時間は、布地の種類や特性を示す「布地情報」に基づいて一意に決定されるものである。布地情報は、複数の布地を区別するための情報であって、当該布地情報が示す布地と、それに適する閾値時間とを関連付けた構造からなるデータ群である「閾値情報」に含まれる。なお、閾値情報は、ユーザが操作パネル１０１を操作して任意の値に変更してもよいし、ユーザが所望する布地に合わせて適宜変更してもよい。
【００７３】
図７に戻る。Ｓ７０４を濃度センサ１１５の検知結果に基づいて行うならば、画像濃度が所望する値、すなわち、表面画像濃度「１．３」以上であれば（Ｓ７０４／ＹＥＳ）、二度目の画像形成処理は不要であるから、処理を終了する。表面画像濃度が１．３未満であれば（Ｓ７０４／ＮＯ）、重ね印刷を実行するための待ち時間が経過したか否かの判定処理が実行される（Ｓ７０５）。なお、Ｓ７０４の処理をユーザの視覚に基づいて実行してもよい。その場合は、画像形成処理（Ｓ７０２）が実行された後の一定時間内に、ユーザが画像を視認して、濃度が十分であるとするならば操作パネル１０１に対する所定の操作を行うようにする（Ｓ７０４／ＹＥＳ）。ユーザによる操作パネル１０１の操作が行われなければ濃度判定はＮＧであるとする（Ｓ７０４／ＮＧ）。
【００７４】
Ｓ７０５において、経過時間であるＴが、閾値時間であるＴｈ（例：４０秒）以上であるか否かを判定する。経過時間が閾値時間を超えていれば（Ｓ７０５／ＹＥＳ）、再画像形成処理を実行する（Ｓ７０６）。経過時間が閾値時間を超えていなければ（Ｓ７０５／ＮＯ）、環境整備処理を実行する（Ｓ７０７）。環境整備処理の詳細については、後述する。なお、後述するように環境整備処理は、所定の条件下においては特段の処理を行わずに終了する。したがって、環境整備を行うと時間を要する場合や、環境整備をしなくても再画像形成処理における問題が生じない場合などは、そのまま閾値時間を超えるまで待った上で再画像形成を実行させてもよい。
【００７５】
［制御方法の第二例］
次に、本実施形態に係る印刷装置１における制御方法の別の例について、図８のフローチャートを用いて説明する。なお、以下において説明する処理の流れは、図７のフローチャートを用いて説明した処理の流れと共通する部分がある。以下、同じ処理についての説明は省略する。
【００７６】
まず、初期化処理（Ｓ８０１）が実行され、その後、画像形成処理が実行される（Ｓ８０２）。続いて、経過時間を計測するためのタイマーがスタートする（Ｓ８０３）。続いて、濃度判定処理を実行し、表面画像濃度が閾値濃度を超えていれば（Ｓ８０４／ＹＥＳ）、処理は終了し、表面画像濃度が閾値濃度を超えていなければ（Ｓ８０４／ＮＯ）、時間判定処理が実行される（Ｓ８０５）。
【００７７】
経過時間である「Ｔ」が、閾値時間である「Ｔｈ」以上になっていれば（Ｓ８０５／ＹＥＳ）、再画像形成処理を実行し（Ｓ８０６）、処理は終了する。
【００７８】
経過時間が閾値時間を未満のとき（Ｔ＜Ｔｈ）は（Ｓ８０５／ＮＯ）、操作パネル１０１をユーザが操作する強制重ね印刷操作が実行されたか否かの判定をする（Ｓ８０７）。強制重ね印刷操作が行われなければ、待ち時間の経過を待つ（Ｓ８０７／ＮＯ）。
【００７９】
画像形成処理（Ｓ８０２）が終了した段階で、ユーザが表面の画像を視認した結果、再画像形成処理の実行を即断する場合は、ユーザが操作パネル１０１を操作することで（Ｓ８０７／Ｙ）、経過時間に至る前に再画像形成処理を実行できるようにする。この場合、操作パネル１０１を操作して強制的に再画像形成処理の実行指示を与えたときは、その指示が生じた時点の経過時間を用いて、閾値時間を更新する（Ｓ８０８／ＹＥＳ）。これによって、当該ユーザが、次に重ね印刷を実行するときの待ち時間を、ユーザの好みに合わせて短縮することができる。
【００８０】
［制御方法の第三例］
次に、本実施形態に係る印刷装置１における制御方法の別の例について、図９のフローチャートを用いて説明する。なお、以下において説明する処理の流れは、図７および図８のフローチャートを用いて説明した処理の流れと共通する部分がある。以下、同じ処理についての説明は省略する。
【００８１】
まず、初期化処理（Ｓ９０１）が実行され、その後、画像形成処理が実行される（Ｓ９０２）。続いて、経過時間を計測するためのタイマーがスタートする（Ｓ９０３）。続いて、濃度判定処理を実行し、表面画像濃度が閾値濃度を超えていれば（Ｓ９０４／ＹＥＳ）、処理は終了し、表面画像濃度が閾値濃度を超えていなければ（Ｓ９０４／ＮＯ）、時間判定処理が実行される（Ｓ８０５）。
【００８２】
経過時間である「Ｔ」が、閾値時間である「Ｔｈ」以上になっていれば（Ｓ９０５／ＹＥＳ）、再画像形成処理を実行し（Ｓ９０６）、処理は終了する。
【００８３】
経過時間が閾値時間を未満のとき（Ｔ＜Ｔｈ）は（Ｓ９０５／ＮＯ）、操作パネル１０１をユーザが操作する強制重ね印刷操作が実行されたか否かの判定をする（Ｓ９０７）。強制重ね印刷操作が行われなければ、待ち時間の経過を待つ間に（Ｓ９０７／ＮＯ）、環境整備処理を実行する（ｓ９０９）。
【００８４】
画像形成処理（Ｓ９０２）が終了した段階で、ユーザが表面の画像を視認した結果、再画像形成処理の実行を即断する場合は、ユーザが操作パネル１０１を操作することで（Ｓ９０７／Ｙ）、経過時間に至る前に再画像形成処理を実行できるようにする。この場合、操作パネル１０１を操作して強制的に再画像形成処理の実行指示を与えたときは、その指示が生じた時点の経過時間を用いて、閾値時間を更新する（Ｓ９０８／ＹＥＳ）。
【００８５】
以上のように、待ち時間が設けられるときは、再画像形成処理を実行する前に環境整備処理を実行し（Ｓ９０９）、より質のよい重ね印刷を実行できるようにする。また、ユーザが、次に重ね印刷を実行するときの待ち時間を、ユーザの好みに合わせて短縮することもできる。
【００８６】
［制御方法の第四例］
次に、環境整備処理の例について、フローチャートを用いて説明する。図１０の例は、環境整備処理として、布地とノズル口のギャップ（Δｈ）を調整するレベル調整処理の流れを示すフローチャートである。
【００８７】
まず、レベル検知処理が実行される（Ｓ１００１）。Ｓ１００１においては、プラテン移動制御部１４がステージ４００を副走査方向に移動させながら、布地検知部１９１が発光素子１０７と受光素子８の動作を制御して、布地の上下方向の位置を検知する。続いて、布地検知部１９１における検知結果に基づいてギャップ（Δｈ）を算出する。
【００８８】
次に、算出されたギャップ（Δｈ）が所定の閾値距離を超えているか否かを判定する（Ｓ１００２）。閾値距離を超えていなければ（Ｓ１００２／ＮＯ）、レベル調整は不要なので環境整備処理は終了する。閾値距離を超えていれば（Ｓ１００２／ＹＥＳ）、ギャップ（Δｈ）がプラテンレベル変更部１９３の処理によって調整可能な範囲であるか否かを判定する（Ｓ１００３）。調整不能であれば（Ｓ１００３／ＮＯ）、印刷処理を終了する（Ｓ１００５）。
【００８９】
レベル調整可能な範囲であれば（Ｓ１００３／ＹＥＳ）、プラテンレベル変更部１９３によって、ステージ４００の上下方向の位置を調整し、プラテン部材３００のレベルを調整する処理が実行される（Ｓ１００４）。Ｓ１００４のレベル調整処理が終了すれば、環境整備処理は終了である。
【００９０】
以上のように、複数回の画像形成処理を実行する重ね印刷において、先の画像形成処理によって、布地の表面に毛羽立ちやシワが生じていて、ノズル口と布地との好適なギャップ（Δｈ）よりも近づいているとしても、後の画像形成処理との間でこれを検知する。この検知を行う環境整備処理によって、すでに画像が形成された布地に対する、次の画像形成の環境の一つとなるノズル口と布地とのギャップ（Δｈ）を適切な値に調整することができる。これによって、重ね印刷の画質を向上させることもできる。
【００９１】
［制御方法の第五例］
次に、環境整備処理の別の例について、フローチャートを用いて説明する。図１１の例は、環境整備処理として、再画像形成処理を実行する前に、インク残量をチェックして、必要なインク液を補充する処理の流れを示すフローチャートである。
【００９２】
まず、液体吐出ヘッド１０３が備えるインクカートリッジに残っているインク残量を検知する。インク残量の検知は、インクカートリッジが備えるセンサにより行う（Ｓ１１０１）。
【００９３】
インク残量が再画像形成処理によって消費されるインク量よりも多ければ、インク残量は不足していないので（Ｓ１１０２／ＮＯ）、インクの補充動作は不要である。この場合、環境整備処理は終了する。
【００９４】
インク残量が再画像形成処理によって消費されるインク量よりの少なければ（Ｓ１１０２／ＹＥＳ）、補充用のインクタンクからのインク補充動作を実行する必要がある。この場合、インクタンクに補充に必要なインク量が残っているか否かを判定する（Ｓ１１０３）。インク補充可能範囲を超えていれば（Ｓ１１０３／ＮＯ）、再画像形成処理は実行できないので、処理を中止する（Ｓ１１０５）。
【００９５】
インク補充可能範囲内であれば（Ｓ１１０３／ＹＥＳ）、インクタンクからの補充処理を実行し（Ｓ１１０４）、環境整備処理は終了する。これによって、再画像形成処理の途中でインク切れになることを防止できる。
【００９６】
［制御方法の第六例］
次に、環境整備処理のさらに別の例について、フローチャートを用いて説明する。図１２の例は、環境整備処理として、再画像形成処理を実行する前に、ヘッド清掃処理を実行する流れを示すフローチャートである。
【００９７】
まず、ヘッド清掃部１９５が、前回のヘッド清掃の時期を参照して、このタイミングヘッド清掃動作を実行すべきか否かを判定する（Ｓ１２０１）。なお、前回のヘッド清掃時期は、ＮＶＲＡＭ１２４などの不揮発性の記憶媒体に記憶されているものとする。
ヘッド清掃時期は、ある程度の時間が経過しているときに実行するので、前回のヘッド清掃時期からの経過が短ければ（Ｓ１２０１／ＮＯ）、環境整備処理を終了する。
【００９８】
前回のヘッド清掃動作からの経過が閾値以上であれば（Ｓ１２０１／ＹＥＳ）、ヘッド清掃部１９５が主走査モータ駆動部１２８を介して主走査モータ１１２を動作させて、キャリッジ１０２を維持回復機構１０４の位置に移動させる。維持回復機構１０４にキャリッジ１０２が移動すると、キャリッジ１０２に保持されている液体吐出ヘッド１０３のノズル口が清掃される（Ｓ１２０２）。
【００９９】
ヘッド清掃処理が終了したら、ヘッド清掃時期を更新する（Ｓ１２０３）。以上のように、待ち時間が経過するまでに、ヘッド清掃処理を実行することで、再画像形成処理における画像形成の質を向上させることができる。
【０１００】
第四例から第六例として説明した環境整備処理は、全てを並列かつ同時に実行してもよいし、適宜選択的に実行されてもよい。
【０１０１】
以上説明した印刷装置１および印刷装置１における制御方法によれば、特に薄手の布地に対する画像形成処理において、画像を鮮明にさせるための「重ね印刷」を実行するときに、裏写りを効果的に防ぎかつ、効率的に画像形成処理を実行できる。
【０１０２】
また、重ね印刷の途中に設けられる待ち時間において、液体吐出ヘッド１０３の状態を回復させる処理や、布地のシワなどによる画像形成環境の乱れを整備する処理を適宜実行することができる。これによって、画質のよい画像形成処理を実行することができる。
【０１０３】
なお、プラテン部材３００にセットした布地（布帛）の厚みを印刷装置１が自動で認識できるようにしてもよい。この場合、プラテン部材３００の表面に設定した基準面と、布地をセットした時の上面の差を、センサの検知結果から算出すればよい。あるいは、セットした布地の上面の位置（高さ）を例えばレーザ変位計などで計測しながら一定にするようにし、プラテン部材３００の表面の沈み込んだ量を検知すればよい。
【０１０４】
また、プラテン部材３００にセットした布地の厚みを自動的に識別する方式として、例えば、複数のポジションセンサーを用いてもよい。この場合、プラテン部材３００を上下に移動させながら、ポジションセンサーが検知した布地の位置から厚みを算出することができる。
【符号の説明】
【０１０５】
１        ：印刷装置
８        ：受光素子
１０      ：制御ブロック
１１      ：画像形成処理部
１２      ：液体吐出制御部
１３      ：ヘッド移動制御部
１４      ：プラテン移動制御部
１５      ：時間計測部
１６      ：経過時間判定部
１７      ：再画像形成指示受付部
１８      ：閾値時間記憶部
１９      ：環境整備処理部
２０      ：濃度判定部
１００    ：装置本体
１０１    ：操作パネル
１０２    ：キャリッジ
１０３    ：液体吐出ヘッド
１０４    ：維持回復機構
１０５    ：空吐出受け
１０６Ｌ  ：移動ガイド部材
１０６Ｒ  ：移動ガイド部材
１０７    ：発光素子
１０９    ：キャリッジガイド部材
１１１    ：ヘッドドライバ
１１２    ：主走査モータ
１１３    ：プラテン昇降モータ
１１４    ：副走査モータ
１１５    ：濃度センサ
１２０    ：制御部
１２１    ：ＣＰＵ
１２２    ：ＲＯＭ
１２３    ：ＲＡＭ
１２４    ：ＮＶＲＡＭ
１２５    ：ＡＳＩＣ
１２６    ：Ｉ／Ｏ部
１２７    ：印刷制御部
１２８    ：主走査モータ駆動部
１２９    ：ギャップ調整部
１３０    ：副走査モータ駆動部
１３１    ：位置検知センサ駆動部
１３２    ：濃度センサ駆動部
１９０    ：プラテン位置調整部
１９１    ：布地検知部
１９２    ：距離判定部
１９３    ：プラテンレベル変更部
１９４    ：インク補充部
１９５    ：ヘッド清掃部
２００    ：カセット
３００    ：プラテン部材
４００    ：ステージ
５００    ：外部装置
５０１    ：プリンタドライバ
【先行技術文献】
【特許文献】
【０１０６】
【特許文献１】特開平８−０３９７９３号公報
【図１】
2019177606.tif 000004
【図２】
2019177606.tif 000005
【図３】
2019177606.tif 000006
【図４】
2019177606.tif 000007
【図５】
2019177606.tif 000008
【図６】
2019177606.tif 000009
【図７】
2019177606.tif 000010
【図８】
2019177606.tif 000011
【図９】
2019177606.tif 000012
【図１０】
2019177606.tif 000013
【図１１】
2019177606.tif 000014
【図１２】
2019177606.tif 000015
【図１３】
2019177606.tif 000016